(57)【要約】【課題】アッテネータ回路の前段又は後段に接続される高周波回路の周波数特性を補正できると共に、周波数特性補正回路のインピーダンス変化の影響が高周波回路へ及ぶことを防止し、高周波回路の入出力インピーダンスを改善すること。【解決手段】このアッテネータ回路は、入力端子１０の前段に高周波増幅器が接続される。入力端子１０と出力端子１１との間に第一の経路１２と第二の経路１３とを並列に設けている。第一の経路１２には、抵抗素子１４と、コンデンサ１６及びインダクタ１５の直列ＬＣ回路からなり高周波増幅器の周波数特性を補正する補正回路とを直列に設け、しかも高周波増幅器と補正回路との間に抵抗素子１４が介在するようにした。【選択図】図１
2007235518.tif 000002
【特許請求の範囲】
【請求項１】
入力端の前段又は出力端の後段に高周波回路が接続されるアッテネータ回路であって、
前記入力端と前記出力端との間に設けられた少なくとも一つの抵抗と、コンデンサとインダクタの直列回路又は並列回路からなり前記高周波回路との間に前記抵抗が介在するように前記抵抗に直列に接続され前記高周波回路の周波数特性を補正する補正回路と、を具備したことを特徴とするアッテネータ回路。
【請求項２】
前記抵抗は、前記補正回路の前段に設けられた第一の抵抗と、前記補正回路の後段に設けられた第二の抵抗とからなることを特徴とする請求項１記載のアッテネータ回路。
【請求項３】
前記入力端と前記出力端との間に直列接続された前記抵抗と前記補正回路とで形成される第一の経路と、前記入力端と前記出力端との間に前記第一の経路に対して並列に設けられ第一のスイッチング素子を有する第二の経路とを具備し、
前記第一のスイッチング素子を非導通状態とした場合、前記入力端に印加される高周波信号を前記第一の経路にて信号減衰させて前記出力端から出力し、
前記第一のスイッチング素子を導通状態とした場合、前記入力端に印加される高周波信号を前記第二の経路にて信号減衰させずに前記出力端から出力することを特徴とする請求項１又は請求項２記載のアッテネータ回路。
【請求項４】
前記第一の経路において前記補正回路の前段及び後段に第二のスイッチング素子をそれぞれ設けたことを特徴とする請求項３記載のアッテネータ回路。
【発明の詳細な説明】
【技術分野】
【０００１】
本発明は、入力段又は出力段に高周波回路が接続されるアッテネータ回路に関する。
【背景技術】
【０００２】
従来、各種の高周波装置においてアッテネータ回路が用いられている。例えば、前段に設けられた高周波回路の出力信号を入力して適切な信号レベルまで減衰させて後段へ出力したり、後段の高周波回路にとって適切なレベルまで減衰させて出力したりするのに用いられている。また、ダイオードを用いて高周波信号の減衰比を切り替えることができるようにしたアッテネータ回路が提案されている（例えば、特許文献１参照）。
【０００３】
図４は、特許文献１に記載されたアッテネータ回路の構成図である。一方の入出力端１２０と他方の入出力端子１３０との間に減衰比の異なる２つの経路を並列に設け、一方の経路には減衰器１００を配置し、他方の経路にはスイッチ部１２１を配置している。減衰器１００の前後にスイッチ部１０８、１０９を接続している。スイッチ部１２１のアノード側はスイッチ部１０８のカソード側及び抵抗器Ｒ１の一端側に接続されると共に、コンデンサＣ１を介して入出力端子１２０に接続されている。前記抵抗器Ｒ１の他端側は接地されている。スイッチ部１２１のカソード側はスイッチ部１０９のアノード側に接続されると共に、コンデンサＣ３を介して入出力端子１３０に接続されている。また、スイッチ部１２１のカソード側及びスイッチ部１０９のアノード側には、スイッチ１０６及び抵抗器Ｒ３を介して正又は負の電圧が印加できるようになっている。スイッチ部１０８のアノード側は減衰器１００を介してスイッチ部１０９のカソード側に接続されている。
【０００４】
減衰器１００は、一方の入出力端子１１０ａと他方の入出力端子１１０ｂとの間に直列に接続されたコンデンサ１０１、抵抗器１０２、コンデンサ１０３と、抵抗器１０２の両端をそれぞれ接地する抵抗器１０４、１０５及び入出力端子１１０ａ、１１０ｂ間に接続された直流分バイパス用のコイル１０６によって構成されている。
【０００５】
以上のように構成されたアッテネータ回路によれば、例えば入出力端子１２０に高周波信号を入力した状態で、スイッチ１０６の接片１０６ａを第二の接点１０６ｃに接続すると、入出力端子１３０に前記高周波信号が減衰することなく出力される。また、スイッチ１０６の接片１０６ａを第一の接点１０６ｂに接続すると、入出力端子１３０には減衰器１００の減衰比によって減衰された高周波信号が出力される。
【０００６】
即ち、スイッチ１０６の接片１０６ａを第二の接点１０６ｃに接続すると、スイッチ部１０８，１０９のダイオードＤは逆バイアスされてオフ状態となり、スイッチ部１２１のダイオードＤは順方向にバイアスされてオン状態になる。従って、入出力端子１２０に入力された高周波信号はスイッチ部１２１を介して入出力端子１３０に出力される。また、スイッチ１０６の接片１０６ａを第一の接点１０６ｂに接続すると、スイッチ部１２１のダイオードＤは逆バイアスされてオフ状態となり、スイッチ部１０８，１０９のダイオードＤは順方向にバイアスされてオン状態になる。従って、入出力端子１３０に入力された高周波信号はスイッチ部１０８，１０９及び減衰器１１０を介して入出力端子１３０に出力される。
【特許文献１】特開平４−１４０９１５号公報
【発明の開示】
【発明が解決しようとする課題】
【０００７】
しかしながら、上記アッテネータ回路の入出力端子に所定の周波数特性を有する高周波回路が接続される場合、選択された周波数バンドによっては、入力された信号を減衰させる必要があると共に当該高周波回路の周波数特性に応じた補正が必要になるが、周波数特性を補正する補正回路を追加することにより高周波回路の入出力インピーダンスが悪化するといった問題がある。
【０００８】
本発明は、かかる点に鑑みてなされたものであり、前段又は後段に接続される高周波回路の周波数特性を補正可能であると共に、当該高周波回路への入出力インピーダンスの影響を防止することのできるアッテネータ回路を提供することを目的とする。
【課題を解決するための手段】
【０００９】
本発明のアッテネータ回路は、入力端の前段又は出力端の後段に高周波回路が接続されるアッテネータ回路であって、前記入力端と前記出力端との間に設けられた少なくとも一つの抵抗と、コンデンサとインダクタの直列回路又は並列回路からなり前記高周波回路との間に前記抵抗が介在するように前記抵抗に直列に接続され前記高周波回路の周波数特性を補正する補正回路とを具備したことを特徴とする。
【００１０】
この構成によれば、アッテネータ回路に設けられた補正回路にて高周波回路の周波数特性を補正できると共に、高周波回路と補正回路との間に介在させた信号減衰用の抵抗により高周波回路側から補正回路のインピーダンスを見えづらくしているので、補正回路を追加しても高周波回路の入出力インピーダンスが変動することなく安定した動作を実現できる。
【００１１】
また本発明は、上記アッテネータ回路において、前記抵抗は、前記補正回路の前段に設けられた第一の抵抗と、前記補正回路の後段に設けられた第二の抵抗とからなることを特徴とする。
【００１２】
この構成により、補正回路の前後に抵抗を設けたので、当該アッテネータ回路の入力端の前段及び出力端の後段に高周波回路をそれぞれ接続した場合であっても当該補正回路を追加することにより双方の高周波回路のインピーダンス変動を抑制でき、安定した動作を実現できる。
【００１３】
また本発明は、上記アッテネータ回路において、前記入力端と前記出力端との間に直列接続された前記抵抗と前記補正回路とで形成される第一の経路と、前記入力端と前記出力端との間に前記第一の経路に対して並列に設けられ第一のスイッチング素子を有する第二の経路とを具備し、前記第一のスイッチング素子を非導通状態とした場合、前記入力端に印加される高周波信号を前記第一の経路にて信号減衰させて前記出力端から出力し、前記第一のスイッチング素子を導通状態とした場合、前記入力端に印加される高周波信号を前記第二の経路にて信号減衰させずに前記出力端から出力することを特徴とする。
【００１４】
この構成により、第一のスイッチング素子を非導通状態とした場合には、第一の経路にて抵抗で信号減衰させた高周波信号を出力端から出力することができ、第一のスイッチング素子を導通状態とした場合には、第二の経路にて信号減衰させず高周波信号を出力端から出力することができる。
【００１５】
上記アッテネータ回路において、前記第一の経路において前記補正回路の前段及び後段に第二のスイッチング素子をそれぞれ設けることが望ましい。
【発明の効果】
【００１６】
本発明によれば、アッテネータ回路の前段又は後段に接続される高周波回路の周波数特性を補正できると共に、周波数特性補正回路のインピーダンス変化の影響が高周波回路へ及ぶことを防止でき、高周波回路の入出力インピーダンスを改善することができる。
【発明を実施するための最良の形態】
【００１７】
以下、本発明の実施の形態について添付図面を参照して詳細に説明する。
本実施の形態は、例えばＵＨＦ帯及びＶＨＦ帯のハイバンド／ローバンドを切替え可能なアナログチューナ装置に設けられたアッテネータ回路に関するものである。なお、本発明のアッテネータ回路はアナログチューナ装置以外の高周波回路にも適用できる。
【００１８】
図１は本発明の実施の形態に係るアッテネータ回路の構成図である。本実施の形態に係るアッテネータ回路は、入力端子１０と出力端子１１との間に、高周波信号の減衰作用及び周波数特性補正作用を奏する第一の経路１２と、高周波信号を減衰させずに通過させる第二の経路１３とが並列に設けられている。図１に示す入力端子１０は、図示していない高周波増幅器の出力端が接続されている。この高周波増幅器がアッテネータ回路の入力端の前段に接続された高周波回路となる。
【００１９】
第一の経路１２には、抵抗素子１４、インダクタ１５、コンデンサ１６からなる直列回路が形成されている。抵抗素子１４は、当該経路を伝搬する高周波信号を減衰するための抵抗であり、一端が入力端子１０に接続され他端がインダクタ１５の一端に接続されている。インダクタ１５は所要の周波数特性に応じた長さを有するパターンで形成されている。インダクタ１５の他端はコンデンサ１６の一方の電極に接続され、コンデンサ１６の他方の電極は出力端子１１に接続されている。インダクタ１５及びコンデンサ１６でＬＣ回路を構成しており、図示していない高周波増幅回路の周波数特性を補正する補正回路として作用する。すなわち、周波数特性に応じた補正が必要になる周波数バンドにおいて、入力端子１１に接続された高周波増幅回路が所望の周波数特性となるように、インダクタ１５及びコンデンサ１６からなるＬＣ回路の周波数特性を決めている。
【００２０】
第二の経路１３には、第一のスイッチング素子として作用するダイオード１７が設けられている。ダイオード１７はカソード側が入力端子１０に接続され、アノード側が出力端子１１に接続されている。ダイオード１７が順方向バイアスとなるＯＮ状態で高周波信号が第二の経路１３を通り、ダイオード１７が逆バイアスとなるＯＦＦ状態では高周波信号が第一の経路１２を通ることとなる。
【００２１】
また、入力端子１０及び抵抗素子１４の一端に接続された制御端子１８にはバンドセレクト信号が印加される。バンドセレクト信号はＵＨＦ帯又はＶＨＦ帯のハイバンド／ローバンドを選択する信号である。本実施の形態では、ＵＨＦ帯又はＶＨＦ帯のハイバンド／ローバンドのうち信号減衰を要するバンドを選択する場合はバンドセレクト信号が所定の正電圧となり、信号減衰を要しないバンドを選択する場合はバンドセレクト信号が接地電圧となる。なお、出力端子１１には電源電圧が印加される電圧印加端子１９が接続されている。電圧印加端子１９は抵抗素子２１を介して出力端子１１に接続されている。出力端子１１と抵抗素子２１との接続点は抵抗素子２２を介して接地されている。
【００２２】
次に、以上のように構成されたアッテネータ回路の動作について説明する。
入力端子１０に高周波信号が印加された状態で、制御端子１８に印加されるバンドセレクト信号が信号減衰を要する所定の正電圧の場合は、ダイオード１７が逆バイアスされてオフ状態となる。この結果、入力端子１０に印加された高周波信号は第一の経路１２を経由して出力端子１１から出力される。高周波信号は第一の経路１２を通過する際に抵抗素子１４によって信号レベルが所定量だけ減衰される。
【００２３】
入力端子１０の直前に配置された高周波増幅器は抵抗素子１４を介してインダクタ１５及びコンデンサ１６からなるＬＣ回路に接続されている。このため、高周波増幅器から出力された高周波信号が、入力端子１０から第一の経路１２を通り出力端子１１から出力される場合、第一の経路１２に直列接続されたインダクタ１５及びコンデンサ１６からなるＬＣ回路により周波数特性が補正される。
【００２４】
しかも、本実施の形態では、信号減衰用の抵抗素子１４を間に挟んでインダクタ１５と高周波増幅器とが接続されるので、高周波増幅器の後段にインダクタ１５及びコンデンサ１６からなるＬＣ回路が接続されることによるインピーダンス変化は抵抗素子１４で緩和され、高周波増幅器の出力インピーダンスが変化する不具合を防止することができる。
【００２５】
また、入力端子１０に高周波信号が印加された状態で、制御端子１８に印加されるバンドセレクト信号が信号減衰を要しない接地電圧の場合は、ダイオード１７に順方向バイアスが印加されてオン状態となり、入力端子１０に印加されている高周波信号が第二の経路１３を通り減衰されずに出力端子１１から出力される。
【００２６】
以上のように本実施の形態では、入力高周波信号の信号レベルを減衰させる抵抗素子１４に対して、高周波増幅器の周波数特性を補正するインダクタ１５及びコンデンサ１６からなるＬＣ回路を直列に設けたので、当該アッテネータ回路の前段に設けられた高周波増幅器の周波数特性を補正できると共に、抵抗素子１４によって高周波増幅器の出力端からインダクタ１５及びコンデンサ１６からなるＬＣ回路のインピーダンスが見えづらくなり高周波増幅器の出力端にＬＣ回路が接続されることによる出力インピーダンス変化を防止することができ、高周波増幅器の動作の安定性を改善できる。
【００２７】
以上の説明はアッテネータ回路の前段に高周波増幅器を配置した実施の形態についてのものであるが、次にアッテネータ回路の後段にも高周波増幅器又はその他の高周波回路が配置される実施の形態について説明する。
【００２８】
図２はアッテネータ回路の前段及び後段にそれぞれ高周波回路が接続される場合のアッテネータ回路の構成図である。図１に示すアッテネータ回路と同一構成要素には同一符号を付して説明の重複を避け、主に異なる点について説明する。
【００２９】
同図に示すアッテネータ回路は、第一の経路１２においてコンデンサ１６の他方の電極と出力端子１１との間に抵抗素子２３を直列に介挿している。出力端子１１には図示していない高周波回路の入力端が接続される。インダクタ１５及びコンデンサ１６からなるＬＣ回路は後段の高周波回路の周波数特性をも補正し得る様に設計される。
【００３０】
このように構成されたアッテネータ回路では、入力端子１０に印加された高周波信号が第一の経路１２を経由して出力端子１１から出力される場合、一方の抵抗素子１４と他方の抵抗素子２３のそれぞれで信号レベルが減衰される。抵抗素子１４，２３の合成抵抗値にしたがって減衰された高周波信号が出力端子１１から後段の高周波回路へ出力される。
【００３１】
後段の高周波回路の入力端にインダクタ１５及びコンデンサ１６からなるＬＣ回路が接続されるが、抵抗素子２３によって当該後段の高周波回路からインダクタ１５及びコンデンサ１６からなるＬＣ回路のインピーダンスが見えづらくなり、後段の高周波回路の入力端にＬＣ回路が接続されることによる入力インピーダンス変化を防止することができ、後段の高周波回路の動作の安定性を改善できる。
【００３２】
なお、アッテネータ回路の前段に高周波回路が接続されない場合は、一方の抵抗素子１４は設けなくても良い。
【００３３】
図３はアッテネータ回路の第一の経路１２においてインダクタ１５及びコンデンサ１６からなるＬＣ回路の前後に抵抗素子１４，２３を設けると共に、第一の経路１２の両側に第二のスイッチング素子となるダイオード３１，３２を順方向に接続したものである。なお、入力側に設けたダイオード３１のカソードと出力側に設けたダイオード３２のアノードとの間に直流バイパス用のコイル１０６を設けている。
【００３４】
以上のように構成されたアッテネータ回路では、制御端子１８に所定の正電圧が印加されると、第二の経路１３のダイオード１７は逆バイアスとなってオフする一方、第一の経路１２の入力側のダイオード３１は順方向バイアスが印加されてオンし、直流バイパス用コイル３３を経由して出力側のダイオード３２に順方向バイアスが印加されてオンする。この結果、入力端子１０に印加された高周波信号が第一の経路１２を通って信号減衰されて出力端子１１から出力される。
【００３５】
一方、制御端子１８に接地電圧が印加された場合は、第二の経路１３のダイオード１７は順方向バイアスが印加されてオンする一方、第一の経路１２の入力側のダイオード３１及び出力側のダイオード３２は逆方向バイアスが印加されてオフする。この結果、入力端子１０に印加された高周波信号が第二の経路１３を通って信号減衰されずに出力端子１１から出力される。
【００３６】
なお、第一の経路１２に設けられた抵抗素子１４，２３が、インダクタ１５及びコンデンサ１６からなるＬＣ回路のインピーダンスを、当該アッテネータ回路の入力端子１０側及び出力端子１１側から見えづらくする作用効果は上記同様である。
【００３７】
本発明は上記一実施の形態（図１，２，３）に限定されるものではない。例えば、以上の説明では、当該アッテネータ回路の前段又は後段に接続される高周波回路の周波数特性を補正するインダクタ１５及びコンデンサ１６を直列接続しているが、インダクタ１５及びコンデンサ１６を並列接続してＬＣ並列回路を構成しても同様の作用効果を得ることができる。
【００３８】
以上の説明では、アッテネータ回路に信号減衰を行う第一の経路１２の他に、信号減衰を行わないで通過させる第二の経路１３を並列に設けているが、信号減衰させないバイパス機能が不要であるならば第二の経路１３は必要ではない。すなわち、第一の経路１２だけでアッテネータ回路を構成することも可能である。
【産業上の利用可能性】
【００３９】
本発明は、回路前段又は回路後段に周波数特性を有する高周波回路が接続されるアッテネータ回路に適用可能である。
【図面の簡単な説明】
【００４０】
【図１】本発明の一実施の形態に係るアッテネータ回路の構成図
【図２】図１に示す実施の形態の一部を変形した変形例の構成図
【図３】図１に示す実施の形態の他の一部を変形した変形例の構成図
【図４】従来のアッテネータ回路の構成図
【符号の説明】
【００４１】
１０  入力端子
１１  出力端子
１２  第一の経路
１３  第二の経路
１４、２３  抵抗素子
１５  インダクタ（パターン）
１６  コンデンサ
１７  ダイオード（第一のスイッチング素子）
１９  電源電圧端子
３１、３２  ダイオード（第二のスイッチング素子）
１８  制御端子
３３  直流バイパス用コイル
【図１】
2007235518.tif 000003
【図２】
2007235518.tif 000004
【図３】
2007235518.tif 000005
【図４】
2007235518.tif 000006